(57)【要約】      （修正有）【課題】物が容易に収容、取り出し可能な物置台を提供する。【解決手段】底座１１と、該底座の頂面１１２から上へ延在してなる錘状柱体１２とを備え、前記錘状柱体に物が挿入し位置決められ、前記底座の底部には中空収容室１３が設けられ、前記収容室内には磁気部材又は吸盤が設けられ、収容室内に磁気部材が設けられた場合は、前記底座の底面１１１が強磁性又は金属材料を有する被搭載体に吸着され、収容室内に吸盤が設けられた場合は、前記底座の底面が平坦面を有する被搭載体に吸着されることが可能である。これにより、物置台は、吸着位置決め可能な使用利便性を有する。【選択図】図３
0003174630.tif 000002
【実用新案登録請求の範囲】
【請求項１】
底面及び頂面を有する底座と、前記底座の頂面から上へ延在してなる錘状柱体とを備え、前記錘状柱体に物が挿入し位置決められ、前記底座の底面が被搭載体に置かれることを特徴とする物置台。
【請求項２】
前記底座は、前記底座の底部に位置する中空収容室をさらに備え、前記底面に開口を有し、前記収容室内に第１の磁気部材が設けられ、前記第１の磁気部材が前記開口に隣接することにより、前記被搭載体に対する磁気吸着力を有することを特徴とする請求項１に記載の物置台。
【請求項３】
前記錘状柱体の上端に設けられることにより前記錘状柱体が前記物に吸着結合可能な第２の磁気部材をさらに備えることを特徴とする請求項２に記載の物置台。
【請求項４】
前記底座は、前記底座の底部に位置する中空収容室をさらに備え、前記底面に開口を有し、前記収容室内に吸盤が設けられ、前記吸盤の下表面が前記被搭載体に吸着されることを特徴とする請求項１に記載の物置台。
【請求項５】
前記収容室内の開口には前記吸盤の頂部と結合するための接続部材が設けられていることを特徴とする請求項４に記載の物置台。
【考案の詳細な説明】
【技術分野】
【０００１】
本考案は、物置台に関し、特に被搭載体に吸着し位置決め可能な物置台に関するものである。
【背景技術】
【０００２】
一般の家庭では、物を置く場合、壁にあるフックに掛けたり、容器に収容したりすることが多い。しかしながら、物を壁にあるフックに掛けることは、壁面が容易に損壊し、フックに掛けられた物が壁面に接触し、物に汚れが付着することがあるため、清潔を保つことができない。さらに、容器内に収容された物は、容易に取り出すことができないという問題もあった。
【考案の概要】
【考案が解決しようとする課題】
【０００３】
そこで、一般の家庭では物が容易に収容、取り出し可能な物置台が必要となっている。
【課題を解決するための手段】
【０００４】
本考案は、被搭載体に吸着し位置決めし、一般の家庭の物が容易に収容されるようにするための物置台を提供することを目的とする。
【０００５】
上述した目的を達成するために、本考案に係る物置台は、底面及び頂面を有する底座と、前記底座の頂面から上へ延在してなる錘状柱体とを備え、前記錘状柱体に物が挿入し位置決められ、前記物は、前記錘状柱体から取り外すことができる。前記底座の底面は、例えばテーブル又は床の被搭載体に安定的に置くこと可能であるため、前記物の清潔、衛生を維持することができる。
【０００６】
好ましい実施例において、前記底座の底部には中空収容室が設けられ、前記収容室内には磁気部材又は吸盤が設けられている。収容室内に磁気部材が設けられた場合は、前記底座が強磁性又は金属材料を有する被搭載体に吸着され、収容室内に吸盤が設けられた場合は、前記底座が平坦面を有する被搭載体に吸着されることが可能である。
【考案の効果】
【０００７】
本考案に係る物置台によれば、吸着位置決め可能な使用利便性を有する。
【図面の簡単な説明】
【０００８】
【図１】本考案に係る第１の実施例の物置台の立体図を示す。
【図２】飯杓子を図１の物置台に置く場合の使用状態の模式図を示す。
【図３】図１の物置台を被搭載体に吸着する場合の断面図を示す。
【図４】本考案に係る第２の実施例の物置台の立体図を示す。
【図５】図４の物置台を被搭載体に吸着する場合の断面図を示す。
【図６】図５の物置台の吸盤が被搭載体と離れた場合の断面図を示す。
【考案を実施するための形態】
【０００９】
図１ないし図３は、本考案に係る第１の実施例の物置台１を示す。物置台１は、底面１１１及び頂面１１２を有する底座１１と、底座１１の頂面１１２から上へ延在してなる錘状柱体１２とを備え、錘状柱体１２には物２が挿入し位置決められる。この実施例において、物２は、飯杓子である。底座１１の底面１１１は、例えばテーブル又は床の被搭載体３に安定的に置かれることが可能である。底座１１は、底部に位置する中空収容室１３をさらに備え、底面１１１に開口１３０を有する。
【００１０】
この実施例において、物置台１は、第１の磁気部材１３１及び第２の磁気部材１２１をさらに備え、第１の磁気部材１３１は、中空収容室１３内に設けられ、開口１３０に隣接しており、第２の磁気部材１２１は、錘状柱体１２の上端に設けられている。この実施例において、物２の底端には、例えば金属である強磁性体２１が設けられ、被搭載体３は、強磁性又は金属材料を有する物体である。従って、物置台１の底座１１が被搭載体３に対する磁気吸着力を有し、錘状柱体１２に物２の強磁性体２１が吸着結合されることにより、物置台１は、被搭載体３に容易に吸着され、一般の家庭が容易に収容することができる。
【００１１】
図４ないし図６は、本考案に係る第２の実施例の物置台１を示す。この第２の実施例の物置台１と第１の実施例のものとの相違点は、第１の実施例の第１の磁気部材１３１の代わりに、底座１１の収容室１３内に吸盤１４が設けられている点である。収容室１３内の開口１３０に吸盤１４の頂部１４１と結合するための接続部材１５が設けられており、吸盤１４の下表面１４２が被搭載体３（図５参照）に吸着されることにより、物置台１は、被搭載体３に吸着され位置決められることが可能である。さらに、物置台１が引き上げられた場合は、吸盤１４の下表面１４２が被搭載体３と離れる（図６参照）。従って、本考案に係る物置台１は、吸盤式及び磁気式である吸着位置決めの使用利便性を有する。
【００１２】
物置台１により、一般の物２は、使用されない場合にも例えばテーブル又は壁面である被搭載体３に直立に収容し位置決めすることができるとともに、錘状柱体１２から容易に取り外して使用することができる。
【００１３】
上記のように、これらの実施の形態は本考案の好ましい実施例のみであり、本考案の特許請求の範囲に基づいてなされる等価の変更や修飾は、本考案の技術範囲に入るものである。
【００１４】
以上のように、本考案では、底面及び頂面を有する底座と、前記底座の頂面から上へ延在してなる錘状柱体とを備え、前記錘状柱体に物が挿入し位置決められ、前記底座の底面が被搭載体に置かれることを特徴とする物置台とするものである。
【００１５】
また、前記底座は、前記底座の底部に位置する中空収容室をさらに備え、前記底面に開口を有し、前記収容室内に第１の磁気部材が設けられ、前記第１の磁気部材が前記開口に隣接することにより、前記被搭載体に対する磁気吸着力を有するものとする。
【００１６】
また、前記錘状柱体の上端に設けられることにより前記錘状柱体が前記物に吸着結合可能な第２の磁気部材をさらに備えるものとする。
【００１７】
また、前記底座は、前記底座の底部に位置する中空収容室をさらに備え、前記底面に開口を有し、前記収容室内に吸盤が設けられ、前記吸盤の下表面が前記被搭載体に吸着されるものとする。
【００１８】
また、前記収容室内の開口には前記吸盤の頂部と結合するための接続部材が設けられているものとする。
【産業上の利用可能性】
【００１９】
本考案に係る物置台によれば、吸着位置決め可能な使用利便性を有する。
【符号の説明】
【００２０】
１  物置台
１１  底座
１１１  底面
１１２  頂面
１２  錘状柱体
１２１  第２の磁気部材
１３  収容室
１３０  開口
１３１  第１の磁気部材
１４  吸盤
１４１  頂部
１４２  下表面
１５  接続部材
２  オブジェクト
２１  強磁性体
３  被搭載体
【図１】
0003174630.tif 000003
【図２】
0003174630.tif 000004
【図３】
0003174630.tif 000005
【図４】
0003174630.tif 000006
【図５】
0003174630.tif 000007
【図６】
0003174630.tif 000008